(57)【特許請求の範囲】
【請求項１】
測定結果の波形データを記憶部に複数格納し、波形表示を行なうデジタルオシロスコープにおいて、
前記波形データの異常領域を設定する領域設定手段と、
前記記憶部の波形データごとに、前記異常領域内にあるかどうかを判定する判定手段と、
この判定手段の判定により、異常領域内にある場合、波形データを波形表示する表示手段と
を有し、前記異常領域内の波形データを順に表示することを特徴とするデジタルオシロスコープ。
【請求項２】
測定結果の複数の波形データを波形表示する波形表示方法において、
前記波形データの異常領域を設定し、
波形データごとに、異常領域内にあるかどうかを判定し、
前記異常領域内にある場合、波形データを表示し、
前記異常領域内の波形データを順に表示することを特徴とする波形表示方法。
【発明の詳細な説明】
【０００１】
【発明の属する技術分野】
本発明は、波形を表示するデジタルオシロスコープ及び波形表示方法に関し、特に、異常波形を容易に検索できるデジタルオシロスコープ及び波形表示方法に関するものである。
【０００２】
【従来の技術】
デジタルオシロスコープにより、設計した回路のトラブルシュートを行う場合、異常現象補足の際には、補足のためのトリガ条件がわからない場合が多い。その際に有効なのがヒストリメモリである。例えば、エッジトリガ等の簡単な条件でトリガをかけ、画面上で信号をモニタし、異常現象が表示された時にストップキーを押しても、通常は波形が更新されてしまっており、異常現象を補足することは困難である。しかし、ヒストリメモリを有したデジタルオシロスコープの場合、メモリの許す範囲で無条件に過去の波形を保存しているため、異常波形を後から呼び出すことができる。
【０００３】
このような装置を図４に示し、説明する。
図において、測定部１は、入力信号を入力し、Ａ／Ｄ変換を行い、デジタルデータにする。ヒストリメモリ２は、測定部１のデジタルデータ、つまり、例えば、８０００回分の波形データを格納する。設定手段３は、例えば、キーで、波形番号等を設定する。表示手段４は、設定手段３により、ヒストリメモリ２の波形データを読み出して、表示部５、例えば、ＣＲＴ、ＬＣＤ等に表示する。
【０００４】
このような装置の動作を以下に説明する。
図５は図４に示す装置の動作を示したフローチャートである。
設定手段３の指示により、表示手段４は、ヒストリメモリ２から、波形番号が”１”の波形データを読み込む。そして、表示手段４は、表示部５に波形データの波形表示を行なう。表示手段４は、設定手段３による次の波形データの表示指示を待つ。設定手段３による次の波形データの表示指示により、表示手段４は、波形番号”１”に”１”を加える。表示手段５は、ヒストリメモリ２から、波形番号が”２”の波形データを読み込み、表示部４に波形表示を行なう。このような動作を繰返す。そして、図６に示されるような、異常現象の波形Ｅ１，Ｅ２が現れる波形Ｗを探す。
【０００５】
【発明が解決しようとする課題】
このような装置では、異常波形Ｅ１，Ｅ２を探すには、１つ１つヒストリメモリ２に格納された波形データを確認しなければならず、異常波形Ｅ１，Ｅ２を探すのに時間がかかってしまうという問題点があった。
【０００６】
そこで、本発明の目的は、異常波形を容易に検索できるデジタルオシロスコープ及び波形表示方法を実現することにある。
【０００７】
【課題を解決するための手段】
本発明は、
測定結果の波形データを記憶部に複数格納し、波形表示を行なうデジタルオシロスコープにおいて、
前記波形データの異常領域を設定する領域設定手段と、
前記記憶部の波形データごとに、前記異常領域内にあるかどうかを判定する判定手段と、
この判定手段の判定により、異常領域内にある場合、波形データを波形表示する表示手段と
を有し、前記異常領域内の波形データを順に表示することを特徴とするものである。
【０００８】
このような本発明では、領域設定手段は、波形データの異常領域を設定する。判定手段が、記憶部の波形データが異常領域内にあるかどうかを判定する。この判定により、異常領域内にある場合、表示手段は、波形データを波形表示する。
【０００９】
【発明の実施の形態】
以下図面を用いて本発明の実施の形態を説明する。
図１は本発明の一実施例を示した構成図である。ここで、図４と同一のものは同一符号を付し説明を省略する。
【００１０】
図において、設定手段６は少なくとも領域設定手段を有し、例えば、キー等で、波形データの異常領域の設定等を行う。判定手段７は、ヒストリメモリ（記憶部）２の波形データが異常領域内にあるかどうかを判定する。表示手段８は、領域設定手段６の異常領域を表示部５に表示すると共に、判定手段７の判定により、異常領域内にある場合、波形データを表示部５に波形表示する。
【００１１】
このような装置の動作を以下で説明する。
図２は図１に示す装置の動作を示したフローチャートで、図３は図１に示す装置の異常領域設定動作を説明する図である。
【００１２】
図３に示すように、表示手段８は、ヒストリメモリ２から波形データを読み出し、表示部５に波形Ｗと異常波形Ｅ１，Ｅ２を表示する。この異常波形Ｅ１，Ｅ２の探し方は従来と同様である。設定手段６により、異常領域Ａを設定し（Ｓ１）、表示手段８は、四角で囲む異常領域Ａを表示部５に表示する。判定手段７は波形データを読み込み（Ｓ２）、異常領域内に波形データがあるかどうかを判定を行う（Ｓ３）。
【００１３】
異常領域内に波形データがある場合は、波形データを表示手段８に渡す。そして、表示手段８は、表示部５に波形表示を行う。判定手段７は、設定手段６による次の波形データの表示指示を待つ（Ｓ５）。設定手段６の指示により、現在、読み込んでいる波形データの波形番号に”１”を加えて、波形データをヒストリメモリ２から読み込む（Ｓ６，Ｓ２）。
【００１４】
異常領域内に波形データがない場合は、現在読み込んでいる波形データの波形番号に”１”を加えて、波形データをヒストリメモリ２から読み込む（Ｓ６，Ｓ２）。
【００１５】
再び、判定手段７は、波形データが異常領域内にあるかどうかの判定を行う（Ｓ３）。このような動作を繰返す。
【００１６】
このように、設定手段６の異常領域の設定により、判定手段７が、ヒストリメモリ２の波形データが異常領域内にあるかどうかを判定し、表示手段８により波形表示を行なうので、ヒストリメモリ２の波形データを１つずつ見る必要がない。つまり、効率的に異常波形を発見することができる。すなわち、例えば、回路のリード信号に対して、どのようなタイミングで、異常波形が現れるかの解析等に有効である。
【００１７】
なお、本発明はこれに限定されるものではなく、表示手段８と表示部５とを別々の構成で示したが、１つの構成として、表示手段としてもよい。
【００１８】
【発明の効果】
本発明によれば、以下のような効果がある。
請求項１によれば、領域設定手段の異常領域の設定により、判定手段が、記憶部の波形データが異常領域内にあるかどうかを判定し、表示手段により波形表示を行なうので、記憶部の波形データを１つずつ見る必要がない。つまり、効率的に異常波形を発見することができる。
【００１９】
請求項２によれば、異常領域の設定により、波形データが異常領域内にあるかどうかを判定し、波形表示を行なうので、波形データを１つずつ見る必要がない。つまり、効率的に異常波形を発見することができる。
【図面の簡単な説明】
【図１】本発明の一実施例を示した構成図である。
【図２】図１に示す装置の動作を示したフローチャートである。
【図３】図１に示す装置の異常領域設定動作を説明する図である。
【図４】従来のデジタルオシロスコープの構成を示した図である。
【図５】図４に示す装置の動作を示したフローチャートである。
【図６】異常波形例を示した図である。
【符号の説明】
２  ヒストリメモリ
６  設定手段
７  判定手段
８  表示手段
９  表示部
【図１】
0003575019.tif 000002
【図２】
0003575019.tif 000003
【図３】
0003575019.tif 000004
【図４】
0003575019.tif 000005
【図５】
0003575019.tif 000006
【図６】
0003575019.tif 000007